(57)【要約】【課題】ワイヤーハーネス用プロテクターの蓋が開口を塞いでいる状態を維持する能力を向上する。【解決手段】メスロックがワイヤーハーネス収容体の側壁に結合される。メスロックの引っ掛け部がメスロックの第１の突出部から第２の突出部へ渡し架けられる。オスロック、第１の追加のロック及び第２の追加のロックが蓋の側部に結合される。オスロックは、蓋が開口を塞いでいる場合にメスロックに挿される。蓋が開口を塞いでいる場合に、第１の追加のロックの根元部及びオスロックの間に第１の突出部が配置され、第１の追加のロックの根元部が第１の突出部に沿い、第１の追加のロックの先端部が第１の突出部より底壁寄りに配置される。第２の追加のロックも第２の突出部に対して同様に配置される。第１の追加のロック及び第２の追加のロックの片方が省略されてもよい。【選択図】図１
2014187820.tif 000002
【特許請求の範囲】
【請求項１】
底壁、第１の側壁及び第２の側壁を備え、溝が形成され、前記溝の三方が前記底壁、前記第１の側壁及び前記第２の側壁に囲まれ、前記溝の一方が開口になっているワイヤーハーネス収容体と、
第１の側部及び第２の側部を有する蓋と、
前記第１の側壁に結合され、引っ掛け部、第１の突出部及び第２の突出部を備え、前記引っ掛け部が前記第１の突出部から前記第２の突出部へ渡し架けられ、前記溝が延在する方向に前記第１の突出部及び前記第２の突出部が離され、前記第１の突出部及び前記第２の突出部が前記第１の側壁から突出し、前記引っ掛け部及び前記第１の側壁の間に間隙が形成され、前記間隙が定常距離より広がる方向に前記引っ掛け部がたわむことができるメスロックと、
前記第１の側部に結合され、前記蓋が前記開口を塞いでいる場合に前記メスロックに挿され、第１の根元部及び第１の先端部を備え、前記第１の根元部の最大厚さが前記定常距離より薄く、前記第１の先端部の最大厚さが前記定常距離より厚く、前記蓋が前記開口を塞いでいる場合に前記第１の根元部が前記間隙に配置され前記第１の先端部が前記間隙より前記底壁寄りに配置されるオスロックと、
前記第１の側部に結合され、第２の根元部及び第２の先端部を備え、前記第２の根元部が前記オスロックから離れる方向にたわむことができ、前記蓋が前記開口を塞いでいる場合に前記第２の根元部及び前記オスロックの間に前記第１の突出部が配置され前記第２の根元部が前記第１の突出部に沿い前記第２の先端部が前記第１の突出部より前記底壁寄りに配置される追加のロックと、
を備えるワイヤーハーネス用プロテクター。
【請求項２】
前記追加のロックが第１の追加ロックであり、
前記第１の側部に結合され、第３の根元部及び第３の先端部を備え、前記第３の根元部が前記オスロックから離れる方向にたわむことができ、前記蓋が前記開口を塞いでいる場合に前記第３の根元部及び前記オスロックの間に前記第２の突出部が配置され前記第３の根元部が前記第２の突出部に沿い前記第３の先端部が前記第２の突出部より前記底壁寄りに配置される第２の追加のロック
をさらに備える請求項１のワイヤーハーネス用プロテクター。
【請求項３】
前記蓋が前記開口を塞いでいる状態及び塞いでいない状態の間で前記蓋が回転できるように前記第２の側部を前記第２の側壁に結合する薄肉ヒンジ
をさらに備える請求項１又は請求項２のワイヤーハーネス用プロテクター。
【請求項４】
請求項１から請求項３までのいずれかのワイヤーハーネス用プロテクターと、
前記溝に収容されるワイヤーハーネスと、
を備えるプロテクター付きワイヤーハーネス。
【発明の詳細な説明】
【技術分野】
【０００１】
本発明は、ワイヤーハーネス用プロテクター及びプロテクター付きワイヤーハーネスに関する。
【背景技術】
【０００２】
特許文献１のワイヤーハーネス用プロテクター（ワイヤハーネス用プロテクタ）は、ワイヤーハーネス収容体（本体）、蓋、メスロック（メスロック部）及びオスロック（オスロック部）を備える。ワイヤーハーネス収容体に形成された溝の開口を蓋が塞いでいる状態においては、オスロックの引っ掛かり部（係止爪）がメスロックの引っ掛け部（係止枠）に引っ掛かっている。
【０００３】
特許文献１のワイヤーハーネス用プロテクターにおいては、オスロックをメスロックから抜く力が加わっても、オスロックがメスロックから抜けず、蓋が開口を塞いでいる状態が維持される。
【先行技術文献】
【特許文献】
【０００４】
【特許文献１】特開２０１１−３６００５号公報
【発明の概要】
【発明が解決しようとする課題】
【０００５】
特許文献１のワイヤーハーネス用プロテクターにおいては、オスロックをメスロックから抜く力が小さい場合には、オスロックがメスロックから抜けず、蓋が開口を塞いでいる状態が維持される。しかし、オスロックをメスロックから抜く力が大きい場合には、引っ掛け部及びワイヤーハーネス収容体の側壁の間の間隙（特許文献１の「隙間」）が広がる方向に引っ掛け部がたわみ、オスロックがメスロックから抜ける。このため、蓋が開口を塞いでいる状態を維持する能力が低い。
【０００６】
本発明は、この問題を解決するためになされる。本発明が解決しようとする課題は、ワイヤーハーネス用プロテクターの蓋が開口を塞いでいる状態を維持する能力を向上することである。
【課題を解決するための手段】
【０００７】
本発明の第１から第３までの態様は、ワイヤーハーネス用プロテクターに関する。
【０００８】
本発明の第１の態様においては、ワイヤーハーネス収容体、蓋、メスロック、オスロック及び追加のロックが設けられる。
【０００９】
ワイヤーハーネス収容体は、底壁、第１の側壁及び第２の側壁を備える。ワイヤーハーネス収容体には、溝が形成される。溝の三方は、底壁、第１の側壁及び第２の側壁に囲まれる。溝の一方は、開口になっている。
【００１０】
蓋は、第１の側部及び第２の側部を有する。
【００１１】
メスロックは、第１の側壁に結合される。メスロックは、引っ掛け部、第１の突出部及び第２の突出部を備える。引っ掛け部は、第１の突出部から第２の突出部へ渡し架けられる。第１の突出部及び第２の突出部は、溝が延在する方向に離される。第１の突出部及び第２の突出部は、第１の側壁から突出する。引っ掛け部及び第１の側壁の間に間隙が形成される。間隙が定常距離より広がる方向に引っ掛け部はたわむことができる。
【００１２】
オスロックは、第１の側部に結合され、蓋が開口を塞いでいる場合にメスロックに挿される。オスロックは、第１の根元部及び第１の先端部を備える。第１の根元部の最大厚さは、定常距離より薄い。第１の先端部の最大厚さは、定常距離より厚い。蓋が開口を塞いでいる場合に第１の根元部が間隙に配置され第１の先端部が間隙より底壁寄りに配置される。
【００１３】
追加のロックは、第１の側部に結合される。追加のロックは、第２の根元部及び第２の先端部を備える。第２の根元部は、オスロックから離れる方向にたわむことができる。蓋が開口を塞いでいる場合に、第２の根元部及びオスロックの間に第１の根元部が配置され、第２の根元部が第１の突出部に沿い、第２の先端部が第１の突出部より底壁寄りに配置される。
【００１４】
本発明の第２の態様は、本発明の第１の態様に技術的事項を付加する。本発明の第２の態様においては、本発明の第１の態様の追加のロック（第１の追加のロック）に加えて第２の追加のロックが設けられる。第２の追加のロックは、第１の側部に結合される。第２の追加のロックは、第３の根元部及び第３の先端部を備える。第３の根元部は、オスロックから離れる方向にたわむことができる。蓋が開口を塞いでいる場合に、第３の根元部及びオスロックの間に第２の突出部が配置され、第３の根元部が第２の突出部に沿い、第３の先端部が第２の突出部より底壁寄りに配置される。
【００１５】
本発明の第３の態様は、本発明の第１又は第２の態様に技術的事項を付加する。本発明の第３の態様においては、薄肉ヒンジが設けられる。薄肉ヒンジは、蓋が開口を塞いでいる状態及び塞いでいない状態の間で蓋が回転できるように第２の側部を第２の側壁に結合する。
【００１６】
本発明の第４の態様は、プロテクター付きワイヤーハーネスに関する。本発明の第４の態様においては、本発明の第１から第３までのいずれかの態様のワイヤーハーネス用プロテクターの溝にワイヤーハーネスが収容される。
【発明の効果】
【００１７】
本発明によれば、間隙が広がる方向に引っ掛け部がたわんだ場合にオスロックがメスロックから抜けることを追加のロックが阻害する。蓋が開口を塞いでいる状態を保持する能力が向上する。
【００１８】
加えて、本発明の第３の態様によれば、ワイヤーハーネス用プロテクターの製造コストが低下する。
【００１９】
これらの及びこれら以外の本発明の目的、特徴、局面及び利点は、添付図面とともに考慮されたときに下記の本発明の詳細な説明によってより明白となる。
【図面の簡単な説明】
【００２０】
【図１】ワイヤーハーネス用プロテクターの斜視図である。
【図２】ワイヤーハーネス用プロテクターの断面図である。
【図３】メスロックの近傍の断面図である。
【図４】メスロック及びオスロックの近傍の断面図である。
【図５】オスロックの近傍の側面図である。
【図６】メスロック及びオスロックの近傍の側面図である。
【図７】メスロック及びオスロックの近傍の側面図である。
【図８】メスロック及びオスロックの近傍の側面図である。
【発明を実施するための形態】
【００２１】
図１の斜視図及び図２の断面図は、この実施形態のワイヤーハーネス用プロテクター１０００を模式的に示す。
【００２２】
図１及び図２に示されるように、ワイヤーハーネス用プロテクター１０００は、ワイヤーハーネス収容体１０２０、蓋１０２１、薄肉ヒンジ１０２２、メスロック１０２３、オスロック１０２４、第１の追加のロック１０２５（図２には図示されていない。）及び第２の追加のロック１０２６（図２には図示されていない。）を備える。ワイヤーハーネス用プロテクター１０００がこれらの構成物以外の構成物を備えてもよい。
【００２３】
ワイヤーハーネス用プロテクター１０００は、望ましくは一体物であり、さらに望ましくは樹脂からなる一体成形物である。これにより、ワイヤーハーネス用プロテクター１０００の製造コストが低下する。ただし、ワイヤーハーネス用プロテクター１０００が２個以上の部材の結合体であってもよい。ワイヤーハーネス用プロテクター１０００の一部又は全部が樹脂以外の材質からなってもよい。例えば、ワイヤーハーネス用プロテクター１０００の一部又は全部が金属、セラミックス等からなってもよい。
【００２４】
ワイヤーハーネス収容体１０２０は、底壁１０４０、第１の側壁１０４１及び第２の側壁１０４２を備える。
【００２５】
ワイヤーハーネス収容体１０２０には、溝１０６０が形成される。溝１０６０の延在方向は、まっすぐであってもよいし、まがっていてもよい。図２に示されるように、溝１０６０にはワイヤーハーネス１０８０を収容することが予定されている。ワイヤーハーネス１０８０が溝１０６０に収容された場合は、ワイヤーハーネス１０８０が溝１０６０に沿って延在する。
【００２６】
溝１０６０が延在する方向に垂直な四方のうち、三方は底壁１０４０、第１の側壁１０４１及び第２の側壁１０４２に囲まれ、一方は開口１１００になっている。底壁１０４０、第１の側壁１０４１及び第２の側壁１０４２により、ワイヤーハーネス１０８０が保護される。
【００２７】
ワイヤーハーネス１０８０は、開口１１００を経由して溝１０６０に収容される。これにより、ワイヤーハーネス１０８０が筒状物に通される場合と比較して、ワイヤーハーネス用プロテクター１０００がワイヤーハーネス１０８０に容易に装着される。
【００２８】
蓋１０２１は、図２において実線で示される開口１１００を塞いでいる状態及び図２において一点破線で示される開口１１００を塞いでいない状態の間で回転できる。蓋１０２１が開口１１００を塞いでいる場合は、蓋１０２１の第１の側部１１２０が第１の側壁１０４１の上端部１１４０に沿って配置され、蓋１０２１の第２の側部１１２１が第２の側壁１０４２の上端部１１６０に沿って配置される。蓋１０２１が開口１１００を塞いでいない場合は、蓋１０２１の第１の側部１１２０が第１の側壁１０４１の上端部１１４０から離されるが、蓋１０２１の第２の側部１１２１は依然として第２の側壁１０４２の上端部１１６０からほとんど離されない。第１の側壁１０４１の上端部１１４０及び第２の側壁１０４２の上端部１１６０は、開口１１００の両脇にあり、溝１０６０が延在する方向に延在する。
【００２９】
蓋１０２１は、薄肉ヒンジ１０２２を軸として回転する。薄肉ヒンジ１０２２は、第２の側壁１０４２の上端部１１６０に沿い、溝１０６０が延在する方向に延在する。
【００３０】
薄肉ヒンジ１０２２は、蓋１０２１の第２の側部１１２１を第２の側壁１０４２の上端部１１６０に結合する。蓋１０２１の第２の側部１１２１が第２の側壁１０４２の上端部１１６０から少し離れた位置に結合されてもよい。
【００３１】
薄肉ヒンジ１０２２の厚さは蓋１０２１の厚さ及び第２の側壁１０４２の厚さよりも薄く、薄肉ヒンジ１０２２の剛性は蓋１０２１及び剛性及び第２の側壁１０４２の剛性より低い。このため、薄肉ヒンジ１０２２は変形しやすい。変形しやすい薄肉ヒンジ１０２２により蓋１０２１の第２の側部１１２１が第２の側壁１０４２に結合される場合は、薄肉ヒンジ１０２２を軸として蓋１０２１が回転できる。
【００３２】
ワイヤーハーネス用プロテクター１０００が２個以上の部材の結合体である場合は、薄肉ヒンジ１０２２が他の種類のヒンジに置き換えられてもよい。例えば、薄肉ヒンジ１０２２が軸及び軸受を備えるヒンジに置き換えられてもよい。薄肉ヒンジ１０２２が省略されてもよい。薄肉ヒンジ１０２２が省略される場合は、望ましくは、第１の側壁１０４１及び第２の側壁１０４２の両方にメスロック１０２３が結合され、蓋１０２１の第１の側部１１２０及び第２の側部１１２１の両方にオスロック１０２４、第１の追加のロック１０２５及び第２の追加のロック１０２６が結合される。
【００３３】
メスロック１０２３は、第１の側壁１０４１の外面１１８０に結合される。これにより、メスロック１０２３及びワイヤーハーネス１０８０が干渉しない。ただし、メスロック１０２３が第１の側壁１０４１の内面１１８１に結合されてもよい。
【００３４】
メスロック１０２３は、引っ掛け部１２２０、第１の突出部１２２１（図２には図示されていない。）及び第２の突出部１２２２を備える。
【００３５】
引っ掛け部１２２０は、第１の突出部１２２１及び第２の突出部１２２２を介して第１の側壁１０４１の外面１１８０に結合される。
【００３６】
第１の突出部１２２１及び第２の突出部１２２２は、第１の側壁１０４１の外面１１８０から突出する。第１の突出部１２２１及び第２の突出部１２２２は、溝１０６０が延在する方向に離される。引っ掛け部１２２０は、第１の突出部１２２１から第２の突出部１２２２へ架け渡される。引っ掛け部１２２０は、溝１０６０が延在する方向に延在する。これにより、オスロック１０２４がメスロック１０２３に挿される方向９０００及びオスロック１０２４がメスロック１０２３から抜かれる方向９００１に貫通する間隙１２４０が引っ掛け部１２２０及び第１の側壁１０４１の外面１１８０の間に形成される。方向９０００は、開口１１００から底壁１０４０へ向かう方向である。方向９００１は、底壁１０４０から開口１１００へ向かう方向である。
【００３７】
図３の断面図は、メスロック１０２３の近傍を模式的に示す。
【００３８】
引っ掛け部１２２０は、加わる応力に応じて弾性変形する。第１の側壁１０４１の外面１１８０と垂直をなし第１の側壁１０４１の外面１１８０から離れる方向９００２の応力が引っ掛け部１２２０に加わった場合は、図３の一点破線に示されるように、引っ掛け部１２２０が方向９００２にたわみ、間隙１２４０が定常距離Ｄより広がる。引っ掛け部１２２０が方向９００２にたわんだ後に方向９００２の応力が引っ掛け部１２２０に加わらなくなった場合は、図３の実線に示されるように、方向９００２への引っ掛け部１２２０のたわみが解消し、間隙１２４０が定常距離Ｄに戻る。定常距離Ｄは、引っ掛け部１２２０に応力が加わらない場合における方向９００２の間隙１２４０の寸法である。
【００３９】
図１及び図２に示されるように、オスロック１０２４は、蓋１０２１の第１の側部１１２０に結合される。オスロック１０２４は、第１の根元部１２６０及び第１の先端部１２６１を備える。第１の根元部１２６０は、第１の側部１１２０に結合される。
【００４０】
図４の断面図は、メスロック１０２３及びオスロック１０２４の近傍を模式的に示す。
【００４１】
第１の根元部１２６０の厚さＴ１の最大値（最大厚さ）は定常距離Ｄより薄く、第１の先端部１２６１の厚さＴ２の最大値（最大厚さ）は定常距離Ｄより厚い。このため、第１の根元部１２６０は間隙１２４０を通過でき、第１の先端部１２６１は間隙１２４０が定常距離Ｄより広げられない限り間隙１２４０を通過できない。
【００４２】
図１に示されるように、第１の追加のロック１０２５は、第１の側部１１２０に結合される。第１の追加のロック１０２５は、第２の根元部１２８０及び第２の先端部１２８１を備える。第２の根元部１２８０は、第１の側部１１２０に結合される。第２の先端部１２８１は、オスロック１０２４に近づく方向に延在する。
【００４３】
第２の追加のロック１０２６は、第１の側部１１２０に結合される。第２の追加のロック１０２６は、第３の根元部１３００及び第３の先端部１３０１を備える。第３の根元部１３００は、第１の側部１１２０に結合される。第３の先端部１３０１は、オスロック１０２４に近づく方向に延在する。
【００４４】
第１の追加のロック１０２５及び第２の追加のロック１０２６は、オスロック１０２４を挟んで溝１０６０が延在する方向に離される。
【００４５】
図５の側面図は、メスロック１０２３及びオスロック１０２４の近傍を模式的に示す。
【００４６】
第２の根元部１２８０及び第３の根元部１３００は、加わる応力に応じて弾性変形する。溝１０６０が延在する方向であってオスロック１０２４から離れる方向９００３の応力が第２の根元部１２８０及び第３の根元部１３００に加わった場合は、図５の一点破線に示されるように、第２の根元部１２８０及び第３の根元部１３００が方向９００３にたわむ。第２の根元部１２８０及び第３の根元部１３００が方向９００３にたわんだ後に方向９００３の応力が第２の根元部１２８０及び第３の根元部１３００に加わらなくなった場合は、図５の実線に示されるように、方向９００３への第２の根元部１２８０及び第３の根元部１３００のたわみが解消する。
【００４７】
図６から図８までは、メスロック１０２３及びオスロック１０２４の近傍を模式的に示す。
【００４８】
図２の一点破線及び図６に示されるように、蓋１０２１が開口１１００を塞いでいない場合は、オスロック１０２４がメスロック１０２３から抜かれ、第１の追加のロック１０２５が第１の突出部１２２１から離れ、第２の追加のロック１０２６が第２の突出部１２２２から離れている。
【００４９】
蓋１０２１が開口１１００を塞いでいない状態においてオスロック１０２４をメスロック１０２３に挿す力が加えられた場合は、間隙１２４０が定常距離Ｄより広がる方向へ引っ掛け部１２２０をたわませながら第１の先端部１２６１が間隙１２４０に進入し、図７に示されるように、第２の根元部１２８０及び第３の根元部１３００を方向９００３にたわませながらメスロック１０２３が第１の追加のロック１０２５及び第２の追加のロック１０２６の間に進入する。第１の先端部１２６１は、最終的に間隙１２４０を通過する。オスロック１０２４がメスロック１０２３に挿され、蓋１０２１が開口１１００を塞いでいる状態になる。
【００５０】
図２の実線及び図８に示されるように、蓋１０２１が開口１１００を塞いでいる場合は、オスロック１０２４がメスロック１０２３に挿されており、第１の根元部１２６０が間隙１２４０に配置され、第１の先端部１２６１が間隙１２４０より底壁１０４０寄りに配置される。第１の先端部１２６１の最大厚さは定常距離Ｄより厚いので、蓋１０２１が開口１１００を塞いでいる場合は、引っ掛け部１２２０がたわんで間隙１２４０が定常距離Ｄより広がらない限り、第１の先端部１２６１が間隙１２４０を通過せず、オスロック１０２４がメスロック１０２３から抜けない。蓋１０２１が開口１１００を塞いでいる状態においては、ワイヤーハーネス１０８０が溝１０６０から逸脱しにくい。
【００５１】
また、蓋１０２１が開口１１００を塞いでいる場合は、第２の根元部１２８０及びオスロック１０２４の間に第１の突出部１２２１が配置され、第２の根元部１２８０が第１の突出部１２２１に沿い、第２の先端部１２８１が第１の突出部１２２１より底壁１０４０寄りに配置される。第３の根元部１３００及びオスロック１０２４の間に第２の突出部１２２２が配置され、第３の根元部１３００が第２の突出部１２２２に沿い、第３の先端部１３０１が第２の突出部１２２２より底壁１０４０寄りに配置される。これにより、引っ掛け部１２２０がたわんで間隙１２４０が定常距離Ｄより広がった場合でも、第２の先端部１２８１が第１の突出部１２２１に引っ掛かり、第３の先端部１３０１が第２の突出部１２２２に引っ掛かる。オスロック１０２４がメスロック１０２３から抜けることが第１の追加のロック１０２５及び第２の追加のロック１０２６により阻害される。蓋１０２１が開口１１００を塞いでいる状態を保持する能力がさらに向上する。
【００５２】
望ましくは第１の追加のロック１０２５及び第２の追加のロック１０２６の両方が設けられるが、第１の追加のロック１０２５及び第２の追加のロック１０２６の片方が省略された場合でもオスロック１０２４をメスロック１０２３から抜けにくくする効用は完全には失われない。
【００５３】
ワイヤーハーネス用プロテクター１０００が装着されたワイヤーハーネス用プロテクター１０００は、典型的には、自動車に取り付けられる。ワイヤーハーネス１０８０は、自動車に搭載された２個以上の機器を電気的に接続する。ワイヤーハーネス１０８０及びワイヤーハーネス用プロテクター１０００が自動車以外の装置に取り付けられてもよい。例えば、ワイヤーハーネス１０８０及びワイヤーハーネス用プロテクター１０００が、自動二輪車等の車両、複写機等に取り付けられてもよい。
【００５４】
ワイヤーハーネス１０８０は、典型的には、分岐を有し、３個以上の機器を電気的に接続する。ワイヤーハーネス１０８０が分岐を有さず２個の機器を電気的に接続する場合もある。
【００５５】
本発明は詳細に示され記述されたが、上記の記述は全ての局面において例示であって限定的ではない。したがって、本発明の範囲からはずれることなく無数の修正及び変形が案出されうると解される。
【符号の説明】
【００５６】
１０００  ワイヤーハーネス用プロテクター
１０２０  ワイヤーハーネス収容体
１０２１  蓋
１０２２  薄肉ヒンジ
１０２３  メスロック
１０２４  オスロック
１０２５  第１の追加のロック
１０２６  第２の追加のロック
【図１】
2014187820.tif 000003
【図２】
2014187820.tif 000004
【図３】
2014187820.tif 000005
【図４】
2014187820.tif 000006
【図５】
2014187820.tif 000007
【図６】
2014187820.tif 000008
【図７】
2014187820.tif 000009
【図８】
2014187820.tif 000010